(57)【特許請求の範囲】
【請求項１】
送信装置と受信装置とが通信回線を介してパケット通信を行うパケット通信システムにおいて、
受信装置は、受信したパケットに対する肯定応答または否定応答を送信装置に返す場合、肯定応答、否定応答として、それぞれ、複数個の肯定応答コードが連続した構造のデータ、複数個の否定応答コードが連続した構造のデータを用いる
ことを特徴とするパケット通信システム。
【請求項２】
送信装置と受信装置とが通信回線を介してパケット通信を行うパケット通信システムにおいて、
受信装置は、受信したパケットに対する肯定応答または否定応答を送信装置に返す場合、肯定応答、否定応答として、それぞれ、複数個の肯定応答コードが連続した構造のデータ、複数個の否定応答コードが連続した構造のデータを用い、
送信装置は、連続して２つの肯定応答コードを受信したときには肯定応答を受けたと判断し、連続して２つの否定応答コードを受信したときには否定応答を受けたと判断する
ことを特徴とするパケット通信システム。
【請求項３】
前記連続した複数個の肯定応答コード、及び前記連続した複数個の否定応答コードは、それぞれ、２つのダミーコードの間に挟まれている
ことを特徴とする請求項１または２に記載のパケット通信システム。
【発明の詳細な説明】
【０００１】
【産業上の利用分野】
本発明は、送信装置と受信装置とが通信回線を介してパケット通信を行うパケット通信システムに関する。
【０００２】
【従来の技術】
従来、警備の対象である端末側に設置された画像伝送装置と、センタ側に設置された画像センタ装置とが電話回線で接続された警備システムが知られている。このような警備システムは周知であるが、その概略の構成及び動作を図２、図３、図４を参照して説明する。図２において、１は画像伝送装置、２は制御装置、３は回線制御部、４は回線制御部、５はセンタ装置、６は最寄りの交換機、Ｌは電話回線を示す。
【０００３】
警備の対象である端末側の所定の箇所には画像伝送装置１が設置されている。この画像伝送装置１は、プロセッシングユニット及びその周辺回路で構成される制御装置２、電話回線Ｌを介して画像センタ装置５と全２重通信方式により双方向の通信を行い、データの授受を行うための回線制御部３を備えている。この回線制御部３はモデム等で構成される。
【０００４】
制御装置２には、熱線センサ等の異常の検知を行うための防犯センサ、監視カメラが接続されている。そして、監視カメラと防犯センサとは対応付けられており、ある防犯センサが発報した場合には、当該防犯センサと対応付けられた監視カメラからの画像が記憶され、画像センタ装置５に伝送されるようになされている。なお、防犯センサ、監視カメラは複数設けられるのが一般的であるが、図が煩雑になるのを避けるために図では単に制御装置２には防犯センサ、監視カメラが接続されることを示している。また、防犯センサの発報とは、防犯センサが所定の状態を検知することをいう。従って、熱線センサの場合には、人の移動を検知すると発報することになる。
【０００５】
また、制御装置２には設定装置も接続されている。この設定装置は、警備の対象となっている領域に対して設定されている警戒エリア毎に警戒状態／解除状態の設定を行うためのものであり、一般にリモコン等と称されているものである。この設定装置も複数設けられるのが一般的ではあるが、図が煩雑になるのを避けるために、図では単に制御装置２に設定装置が接続されることを示している。
【０００６】
一方、センタ側には画像センタ装置５、回線制御部４が備えられている。画像センタ装置５は、画像伝送装置１から送られてきた画像データ及びその他の警備状態に関するデータの管理、画像伝送装置１へ送信する種々のデータの設定等の処理を行うものであり、多くの場合パソコンが用いられている。なお、図２には画像伝送装置１は一つしか示していないが、画像センタ装置５は複数の画像伝送装置との間でデータの授受を行うようになされているのが通常である。
【０００７】
そして、画像伝送装置１の制御装置２は、設定装置によってある警戒エリアの警戒が解除されたとき、設定装置によってある警戒エリアに対して警戒状態が設定されたときには画像センタ装置５に対して通報を行う。また、警戒状態に設定されている警戒エリアの防犯センサが発報したときには、画像センタ装置５に対して、当該発報した防犯センサに対応する監視カメラからの画像を伝送する。更に、制御装置２は一定時間毎に定時通報を行うようになされている場合もある。
【０００８】
ところで、画像伝送装置１から何等かの通報を行う場合、あるいは画像を伝送する場合にはパケット通信を行うのが通常である。図３はその場合のシーケンスの例を示すチャートである。なお、図３では１パケットだけを送信する場合を示している。
【０００９】
通報や画像伝送を行う場合には、画像伝送装置１の制御装置２は、送信するデータによってパケットを作成し、そのパケットと、画像センタ装置５の電話番号とを回線制御部３に渡し、送信を指示する。
【００１０】
これに応じて、回線制御部３は画像センタ装置５の電話番号をダイヤリングする（ステップＳ１）。画像センタ装置は着呼するとパケットの送信要求を出してパケットの送信を要求する（ステップＳ２）。この送信要求を受けると画像伝送装置１の回線制御部３は制御装置２から渡されたパケットに所定の変調を施して電話回線Ｌに送出する（ステップＳ３）。
【００１１】
画像センタ装置５の回線制御部４はパケットの受信を完了すると肯定応答を返して（ステップＳ４）局線を解放する。これに対して、画像伝送装置１の回線制御部３は、当該肯定応答を受信すると局線を解放する。
【００１２】
以上は、画像センタ装置５側でパケットを正常に受信できた場合であるが、正常に受信できなかった場合には図４に示すようなシーケンスが行われる。なお、この場合も送信されるパケットは１パケットだけであるとする。
【００１３】
上述したと同様に、制御装置２からパケットと画像センタ装置５の電話番号が渡されると、回線制御部３は画像センタ装置５の電話番号をダイヤリングする（ステップＳ１１）。画像センタ装置は着呼するとパケットの送信を要求する（ステップＳ１２）。この送信要求を受けると画像伝送装置１の回線制御部３は制御装置２から渡されたパケットに所定の変調を施して電話回線Ｌに送出する（ステップＳ１３）。このときパケットが正常に受信できなかったとすると、画像センタ装置５の回線制御部４は、否定応答を返す（ステップＳ１４）。
【００１４】
これに対して、画像伝送装置１の回線制御部３は否定応答を受けると、再度ステップＳ１３で送信したパケットと同じパケットの送信を行う。即ちパケットの再送信を行うのである（ステップＳ１５）。画像センタ装置５の回線制御部４はステップＳ１５で再送信されたパケットを正常に受信すると肯定応答を返すが、正常に受信できなかった場合には再び否定応答を返すことになる。
【００１５】
そして、回線制御部３は予め定められた所定回数パケットの再送信を行っても画像センタ装置５側から肯定応答が返ってこない場合には、一旦局線を解放し、その後再び画像センタ装置５を発呼することになる。
【００１６】
【発明が解決しようとする課題】
ところで、画像センタ装置５側から画像伝送装置１側に返す肯定応答としては、アスキーコードでＡＣＫコードとして定義されているコード、具体的には０６h （h は16進数であることを示す。以下、同様である。）の１バイトのコードが広く用いられている。否定応答についても同様であり、アスキーコードでＮＡＫコードとして定義されている１バイトのコードが用いられている。
【００１７】
しかし、上述したような警備システムにおいては電話回線を使用しているので、電話回線の状態によっては送信されたデータに多くのノイズが混入する等して相手側で正常に受信できない場合がある。このようなことは、送信するデータが肯定応答や否定応答のようなデータ長の短いものである場合に顕著である。
【００１８】
従って、例えば図３のステップＳ４において、回線制御部４から肯定応答を返しているときに多くのノイズが混入して、画像伝送装置１の回線制御部３がこの肯定応答を正常に受信できなかった場合には、制御装置２は送信したパケットが正常に受信されていないと判断して、ステップＳ３で送信したパケットを再送信することになる。
【００１９】
このように、従来においては、肯定応答及び否定応答は共に１バイトというデータ長の短いコードであるために、受信側で正常にパケットを受信して、肯定応答を返したとしても、送信側ではその肯定応答を正常に受信できなくて再送信するという事態が生じることがあったのである。このようなことは、時間的にも無駄であり、また受信側では同じパケットを２度あるいはそれ以上受信することになり、この点でも無駄である。
【００２０】
そこで、本発明は、送信側において、受信側から返される肯定応答または否定応答を、より確実に受信することができるパケット通信システムを提供することを目的とするものである。
【００２１】
【課題を解決するための手段】
上記の目的を達成するために、請求項１記載のパケット通信システムは、送信装置と受信装置とが通信回線を介してパケット通信を行うパケット通信システムにおいて、受信装置は、受信したパケットに対する肯定応答または否定応答を送信装置に返す場合、肯定応答、否定応答として、それぞれ、複数個の肯定応答コードが連続した構造のデータ、複数個の否定応答コードが連続した構造のデータを用いることを特徴とする。
【００２２】
請求項２記載のパケット通信システムは、送信装置と受信装置とが通信回線を介してパケット通信を行うパケット通信システムにおいて、受信装置は、受信したパケットに対する肯定応答または否定応答を送信装置に返す場合、肯定応答、否定応答として、それぞれ、複数個の肯定応答コードが連続した構造のデータ、複数個の否定応答コードが連続した構造のデータを用い、送信装置は、連続して２つの肯定応答コードを受信したときには肯定応答を受けたと判断し、連続して２つの否定応答コードを受信したときには否定応答を受けたと判断することを特徴とする。
【００２３】
請求項３記載のパケット通信システムは、請求項１または２記載のパケット通信システムにおいて、前記連続した複数個の肯定応答コード、及び前記連続した複数個の否定応答コードは、それぞれ、２つのダミーコードの間に挟まれていることを特徴とする。
【００２４】
【発明の実施の形態】
以下、図面を参照しつつ実施の形態について説明する。なお、ここでは、本発明を、画像伝送装置と画像センタ装置とが電話回線を介して接続された警備システムに適用した場合について説明する。
【００２５】
警備システムの構成は図２に示すと同じであるが、画像センタ装置５の回線制御部４がパケットを受信したときに画像伝送装置１側に返す肯定応答、否定応答のコードが従来とは異なっている。肯定応答のコードの例を図１（ａ）に示し、否定応答のコードの例を図１（ｂ）に示す。
【００２６】
肯定応答のコードは、２つのダミーコードの間に３つのＡＣＫコードが挟まれた構造となされている。ダミーコードはそれぞれ１バイトである。また、ＡＣＫコードもそれぞれ１バイトである。つまり、この肯定応答のコードは５バイトである。なお、ここでいうＡＣＫコードとしては、例えばアスキーコードでＡＣＫコードとして定義されているコードを用いればよい。また、ダミーコードとしては適宜な１バイトのコード、例えばＦＦh とすればよい。
【００２７】
同様に、否定応答のコードは、２つのダミーコードの間に３つのＮＡＫコードが挟まれた構造となされている。ダミーコードはそれぞれ１バイトである。また、ＮＡＫコードもそれぞれ１バイトである。つまり、この否定応答のコードは５バイトである。なお、ここでいうＮＡＫコードとしては、例えばアスキーコードでＮＡＫコードとして定義されているコードを用いればよい。また、ダミーコードとしては適宜な１バイトのコード、例えばＦＦh とすればよい。
【００２８】
従って、画像センタ装置５の回線制御部４は、図３のステップＳ４で肯定応答を返す場合には、図１（ａ）に示す構造の５バイトの肯定応答のコードを返す。これに対して、画像伝送装置１の回線制御部３は、当該肯定応答のコードに含まれているＡＣＫコードを連続して２つ受信したときに肯定応答を受信したと判断する。このようにＡＣＫコードを２バイト連続して受信したときに肯定応答を受信したと判断するようにすれば、誤りにも強くすることができるからである。
【００２９】
同様に、画像センタ装置５の回線制御部４は、図４のステップＳ１４で肯定応答を返す場合には、図１（ｂ）に示す構造の５バイトの否定応答のコードを返す。これに対して、画像伝送装置１の回線制御部３は、当該否定応答のコードに含まれているＮＡＫコードを２バイト連続して受信したときに否定応答を受信したと判断する。
【００３０】
以上のように、このパケット通信システムによれば、肯定応答のコード及び否定応答のコードは複数バイトで構成されるため、肯定応答のコードまたは否定応答のコードを受信する側では、これらのコードを従来よりも精度よく受信することができ、以て信頼性を向上できると共に、従来のような不要なパケットの再送信を防止することができる。
【００３１】
以上、本発明の一実施形態について説明したが、本発明は上記実施形態に限定されるものではなく種々の変形が可能である。例えば、上記実施形態では警備システムの場合について説明したが、本発明は警備システムに限らず、パケット通信を行うシステムに適用することができるものである。
【図面の簡単な説明】
【図１】  本発明に係るパケット通信システムにおいて用いられる肯定応答のコード及び否定応答のコードの構造例を示す図である。
【図２】  画像伝送装置と画像センタ装置とが電話回線を介して接続された警備システムの構成例を示す図である。
【図３】  画像伝送装置１から送信したパケットが画像センタ装置５で正常に受信された場合の通信の態様を示すシーケンスチャートである。
【図４】  画像伝送装置１から送信したパケットが画像センタ装置５で正常に受信されなかった場合の通信の態様を示すシーケンスチャートである。
【符号の説明】
１…画像伝送装置、２…制御装置、３…回線制御部、４…回線制御部、５…センタ装置、６…最寄りの交換機、Ｌ…電話回線。
【図１】
0003880022.tif 000002
【図２】
0003880022.tif 000003
【図３】
0003880022.tif 000004
【図４】
0003880022.tif 000005